(57)【特許請求の範囲】
【請求項１】
ユーザを認証してログインを許可する認証部と、
原稿の画像を読み取る画像読取部と、
前記画像読取部に原稿がセットされたことを検出する原稿検出部と、
前記画像読取部を用いる複数の動作モードの使用履歴をユーザごとに記憶する記憶部と、
動作モードに対応するモード画面を表示する表示部と、
ログイン後、動作モードが未選択の状態において、前記原稿検出部により原稿が検出されると、ログイン中のユーザにおける前記複数の動作モードの累積使用回数を用いて、前記複数の動作モードから予測モードを決定し、前記予測モードに応じたモード画面を前記表示部に表示させ、前記予測モードを実行可能とする制御部とを備え、
前記制御部は、
前記ログイン中のユーザにおける累積使用回数が最多の動作モードとその次に多い動作モードとの累積使用回数の差である差分値が閾値以上である場合、累積使用回数が最多の動作モードを前記予測モードに決定し、
前記差分値が前記閾値未満の場合、ユーザに動作モードを選択させるためのモード選択画面を前記表示部に表示させ、
さらに、前記制御部は、ユーザの指示により実行する動作モードが前記予測モードから変更された回数に応じて、前記閾値を変更することを特徴とする画像形成装置。
【請求項２】
ユーザを認証してログインを許可する認証部と、
原稿の画像を読み取る画像読取部と、
前記画像読取部に原稿がセットされたことを検出する原稿検出部と、
前記画像読取部を用いる複数の動作モードの使用履歴をユーザごとに記憶する記憶部と、
動作モードに対応するモード画面を表示する表示部と、
ログイン後、動作モードが未選択の状態において、前記原稿検出部により原稿が検出されると、ログイン中のユーザにおける前記複数の動作モードの累積使用回数を用いて、前記複数の動作モードから予測モードを決定し、前記予測モードに応じたモード画面を前記表示部に表示させ、前記予測モードを実行可能とする制御部とを備え、
前記制御部は、
前記ログイン中のユーザにおける累積使用回数が最多の動作モードとその次に多い動作モードとの累積使用回数の差である第１差分値が第１閾値以上である場合、累積使用回数が最多の動作モードを前記予測モードに決定し、
前記第１差分値が前記第１閾値未満であって、前記ログイン中のユーザの直近の所定期間における使用回数が最多の動作モードとその次に多い動作モードとの使用回数の差である第２差分値が第２閾値以上である場合、前記所定期間における使用回数が最多の動作モードを前記予測モードに決定し、
前記第１差分値が前記第１閾値未満であって、前記第２差分値が前記第２閾値未満である場合、ユーザに動作モードを選択させるためのモード選択画面を前記表示部に表示させ、
さらに、前記制御部は、ユーザの指示により実行する動作モードが前記予測モードから変更された回数に応じて、前記第１閾値および前記第２閾値を変更することを特徴とする画像形成装置。
【請求項３】
前記制御部は、前記ログイン中のユーザにおける前記画像読取部を用いる複数の動作モードの累積使用回数の合計が下限値以下の場合、ユーザに動作モードを選択させるためのモード選択画面を前記表示部に表示させることを特徴とする請求項１または２に記載の画像形成装置。
【請求項４】
前記記憶部は、外部から受信したプリントジョブを保持する記憶領域を有し、
前記制御部は、前記認証部がユーザのログインを許可した時点において、当該ユーザのプリントジョブが前記記憶部に保持されている場合は、プリントジョブを実行するとともに、プリンタモードのモード画面を前記表示部に表示させることを特徴とする請求項１乃至３のいずれか１項に記載の画像形成装置。
【発明の詳細な説明】
【技術分野】
【０００１】
本発明は、印刷媒体に画像を形成する画像形成装置に関する。
【背景技術】
【０００２】
従来、複数の動作モードを有する画像形成装置が知られている。動作モードには、コピーモード、スキャナモード、プリンタモード等がある。ユーザは、このような画像形成装置を使用する際に、動作モードを選択する操作を行う。
【０００３】
これに対し、特許文献１には、所定期間における各動作モードの使用回数に基づき、ユーザの使用頻度の高い動作モードをユーザが所望する動作モードと判定し、当該動作モードに対応する画面を表示することで、操作性を向上させる画像形成装置が開示されている。
【先行技術文献】
【特許文献】
【０００４】
【特許文献１】特開２００４−７２５６３号公報
【発明の概要】
【発明が解決しようとする課題】
【０００５】
しかしながら、特許文献１の画像形成装置では、所定期間を対象として判定した使用頻度の高い動作モードの画面を表示しているため、使用状況によっては、判定結果が適切でないことがあった。この場合、ユーザが動作モードを選択する操作をやり直すことになり、不便が生じていた。
【０００６】
本発明は上記に鑑みてなされたもので、動作モードの選択に関するユーザの利便性を向上できる画像形成装置を提供することを目的とする。
【課題を解決するための手段】
【０００７】
上記目的を達成するため、本発明に係る画像形成装置の第１の特徴は、ユーザを認証してログインを許可する認証部と、原稿の画像を読み取る画像読取部と、前記画像読取部に原稿がセットされたことを検出する原稿検出部と、前記画像読取部を用いる複数の動作モードの使用履歴をユーザごとに記憶する記憶部と、動作モードに対応するモード画面を表示する表示部と、ログイン後、動作モードが未選択の状態において、前記原稿検出部により原稿が検出されると、ログイン中のユーザにおける前記複数の動作モードの累積使用回数を用いて、前記複数の動作モードから予測モードを決定し、前記予測モードに応じたモード画面を前記表示部に表示させ、前記予測モードを実行可能とする制御部とを備えることにある。
【０００８】
本発明に係る画像形成装置の第２の特徴は、前記制御部は、前記ログイン中のユーザにおける累積使用回数が最多の動作モードとその次に多い動作モードとの累積使用回数の差である差分値が閾値以上である場合、累積使用回数が最多の動作モードを前記予測モードに決定し、前記差分値が前記閾値未満の場合、ユーザに動作モードを選択させるためのモード選択画面を前記表示部に表示させることにある。
【０００９】
本発明に係る画像形成装置の第３の特徴は、前記制御部は、ユーザの指示により実行する動作モードが前記予測モードから変更された回数に応じて、前記閾値を変更することにある。
【００１０】
本発明に係る画像形成装置の第４の特徴は、前記制御部は、前記ログイン中のユーザにおける累積使用回数が最多の動作モードとその次に多い動作モードとの累積使用回数の差である第１差分値が第１閾値以上である場合、累積使用回数が最多の動作モードを前記予測モードに決定し、前記第１差分値が前記第１閾値未満であって、前記ログイン中のユーザの直近の所定期間における使用回数が最多の動作モードとその次に多い動作モードとの使用回数の差である第２差分値が第２閾値以上である場合、前記所定期間における使用回数が最多の動作モードを前記予測モードに決定し、前記第１差分値が前記第１閾値未満であって、前記第２差分値が前記第２閾値未満である場合、ユーザに動作モードを選択させるためのモード選択画面を前記表示部に表示させることにある。
【００１１】
本発明に係る画像形成装置の第５の特徴は、前記制御部は、ユーザの指示により実行する動作モードが前記予測モードから変更された回数に応じて、前記第１閾値および前記第２閾値を変更することにある。
【００１２】
本発明に係る画像形成装置の第６の特徴は、前記制御部は、前記ログイン中のユーザにおける前記画像読取部を用いる複数の動作モードの累積使用回数の合計が下限値以下の場合、ユーザに動作モードを選択させるためのモード選択画面を前記表示部に表示させることにある。
【００１３】
本発明に係る画像形成装置の第７の特徴は、前記記憶部は、外部から受信したプリントジョブを保持する記憶領域を有し、前記制御部は、前記認証部がユーザのログインを許可した時点において、当該ユーザのプリントジョブが前記記憶部に保持されている場合は、プリントジョブを実行するとともに、プリンタモードのモード画面を前記表示部に表示させることにある。
【発明の効果】
【００１４】
本発明に係る画像形成装置の第１の特徴によれば、制御部は、ログイン中のユーザにおける画像読取部を用いる複数の動作モードの累積使用回数を用いて予測モードを決定する。これにより、画像形成装置は、ユーザのこれまでの各動作モードの使用状況に応じた適切な自動モード選択ができ、動作モードの選択に関するユーザの手間を低減し、利便性を向上できる。
【００１５】
本発明に係る画像形成装置の第２の特徴によれば、制御部は、ログイン中のユーザにおける累積使用回数が最多の動作モードとその次に多い動作モードとの累積使用回数の差である差分値が閾値未満の場合、モード選択画面を表示部に表示させる。このように、差分値が閾値未満の場合は、予測モードの決定は行わず、ユーザにモード選択画面から動作モードを選択させるようにすることで、画像形成装置は、ユーザの所望とは異なる動作モードを自動選択することを低減できる。
【００１６】
本発明に係る画像形成装置の第３の特徴によれば、ユーザの指示により実行する動作モードが前記予測モードから変更された回数に応じて、差分値の閾値を変更することで、ユーザの所望とは異なる動作モードを自動選択することを低減できる。
【００１７】
本発明に係る画像形成装置の第４の特徴によれば、制御部は、ログイン中のユーザにおける第１差分値が第１閾値以上である場合、累積使用回数が最多の動作モードを予測モードに決定し、第１差分値が第１閾値未満であって、第２差分値が第２閾値以上である場合、所定期間における使用回数が最多の動作モードを予測モードに決定する。これにより、画像形成装置は、累積使用回数では動作モード間の差が小さい場合でも、直近の使用状況を反映した自動モード選択ができる。また、制御部は、第１差分値が第１閾値未満であって、第２差分値が第２閾値未満である場合、モード選択画面を表示部に表示させる。このように、第１差分値が第１閾値未満であって、第２差分値が第２閾値未満である場合は、予測モードの決定は行わず、ユーザにモード選択画面から動作モードを選択させるようにすることで、画像形成装置は、ユーザの所望とは異なる動作モードを自動選択することを低減できる。
【００１８】
本発明に係る画像形成装置の第５の特徴によれば、ユーザの指示により実行する動作モードが前記予測モードから変更された回数に応じて、第１閾値および第２閾値変更することで、ユーザの所望とは異なる動作モードを自動選択することを低減できる。
【００１９】
本発明に係る画像形成装置の第６の特徴によれば、制御部は、ログイン中のユーザにおける画像読取部を用いる複数の動作モードの累積使用回数の合計が下限値以下の場合、モード選択画面を表示部に表示させることで、ユーザに動作モードを選択させる。これにより、画像形成装置は、不適切な自動モード選択を回避できる。
【００２０】
本発明に係る画像形成装置の第７の特徴によれば、制御部は、認証部がユーザのログインを許可した時点において、当該ユーザのプリントジョブが記憶部に保持されている場合は、プリントジョブを実行するとともに、プリンタモードのモード画面を表示部に表示させる。これにより、プリンタモードを有する画像形成装置において、ログインとともにプリンタモードの動作が開始されるので、動作モードの選択に関するユーザの手間を低減できる。
【図面の簡単な説明】
【００２１】
【図１】実施の形態に係る画像形成装置の構成を示すブロック図である。
【図２】モード画面決定処理のフローチャートである。
【図３】モード画面決定処理のフローチャートである。
【図４】プリンタモード画面の一例を示す図である。
【図５】モード選択画面の一例を示す図である。
【図６】コピーモード画面の一例を示す図である。
【図７】スキャナモード画面の一例を示す図である。
【発明を実施するための形態】
【００２２】
以下、本発明の実施の形態について、図面を参照して説明する。
【００２３】
図１は、本発明の実施の形態に係る画像形成装置の構成を示すブロック図である。図１に示すように、本実施の形態に係る画像形成装置１は、ＩＣカードリーダ２と、操作パネル部３と、画像読取部４と、画像形成部５と、記憶部６と、通信処理部７と、演算処理部８とを備える。画像形成装置１は、コピー機能、スキャナ機能、およびプリンタ機能を有するものである。
【００２４】
ＩＣカードリーダ２は、ＩＣカード（図示せず）に記録されたユーザの識別情報を読み取る。
【００２５】
操作パネル部３は、ユーザの入力操作を受け付けるとともに、各種の画面等を表示するものである。操作パネル部３は、入力部１１と、表示部１２とを備える。
【００２６】
入力部１１は、ユーザによる入力操作を受け付け、操作に応じた操作信号を出力する。入力部１１は、各種の操作キー、タッチパネル等を有する。
【００２７】
表示部１２は、モード画面等の各種の画面を表示するものである。表示部１２は、液晶表示パネル等を有する。
【００２８】
画像読取部４は、原稿台、受光素子、光源、レンズ、走査機構、自動原稿送り装置（いずれも図示せず）等を備え、原稿の画像を光学的に読み取り、画像データを生成する。画像読取部４は、コピーモードおよびスキャナモードにおいて、原稿の読み取りを行う。また、画像読取部４は、原稿検出部１３を備える。
【００２９】
原稿検出部１３は、画像読取部４に読み取り対象の原稿がセットされたことを検出し、検出信号を出力する。
【００３０】
画像形成部５は、インクジェット方式等の印刷機構を備え、用紙等の印刷媒体に画像を形成する。
【００３１】
記憶部６は、ユーザ情報を記憶している。ユーザ情報には、画像形成装置１に登録されているユーザのユーザ名、識別情報、パスワード等が含まれる。また、記憶部６は、画像読取部４を用いる動作モードであるコピーモードおよびスキャナモードの使用履歴をユーザごとに記憶する。使用履歴には、画像形成装置１における各ユーザのコピーモードの累積使用回数Ｎｃおよびスキャナモードの累積使用回数Ｎｓが含まれる。累積使用回数Ｎｃ，Ｎｓは、ユーザが画像形成装置１に登録されてからの通算の使用回数である。また、使用履歴には、直近の所定期間（例えば、１週間）における各ユーザのコピーモードの使用回数Ｎｃｐおよびスキャナモードの使用回数Ｎｓｐが含まれる。また、記憶部６は、後述の下限値ＴｈＮｔ、第１閾値ＴｈＤ１、および第２閾値ＴｈＤ２を記憶している。また、記憶部６は、外部のＰＣから受信したプリントジョブを一時的に保持する記憶領域を有する。記憶部６は、ＨＤＤ（Hard Disk Drive）等の記憶装置からなる。
【００３２】
通信処理部７は、画像形成装置１をＬＡＮ等のネットワークに接続する。これにより、画像形成装置１は、外部のＰＣ等と通信可能となる。
【００３３】
演算処理部８は、画像形成装置１における制御的な処理を行う。演算処理部８は、ＣＰＵ、ＲＡＭ、ＲＯＭ等を備えて構成され、ＣＰＵがプログラムを実行することにより認証部２１、制御部２２が構成される。
【００３４】
認証部２１は、ログインの際のユーザ認証を行い、ログインを許可する。
【００３５】
制御部２２は、画像形成装置１の各部の動作を制御する。本実施の形態において、制御部２２は、ログインが行われると、表示部１２に表示させるモード画面を決定するモード画面決定処理を行う。
【００３６】
具体的には、制御部２２は、認証部２１がユーザのログインを許可した時点において、当該ユーザのプリントジョブが記憶部６に保持されている場合は、プリントジョブを実行するとともに、プリンタモード画面を表示部１２に表示させる。一方、認証部２１がユーザのログインを許可した時点において、当該ユーザのプリントジョブが記憶部６に保持されていない場合、制御部２２は、ユーザに動作モードを選択させるためのモード選択画面を表示部１２に表示させる。この後、使用する動作モードが未選択の状態において、原稿検出部１３により原稿が検出されると、制御部２２は、ログイン中のユーザにおけるコピーモードの累積使用回数Ｎｃおよびスキャナモードの累積使用回数Ｎｓを用いて、両モードから予測モードを決定する。予測モードは、使用履歴から、ユーザが所望すると予測される動作モードである。そして、制御部２２は、決定した予測モードに応じたモード画面を表示部１２に表示させ、予測モードであるコピーモードまたはスキャナモードを実行可能とする。
【００３７】
次に、画像形成装置１の動作について説明する。
【００３８】
画像形成装置１は、ユーザが画像形成装置１を使用する際にログインが必要な設定であるとする。ログインが行われると、画像形成装置１は、モード画面決定処理を行う。モード画面決定処理について、図２、図３のフローチャートを参照して説明する。
【００３９】
図２のステップＳ１０において、認証部２１は、ユーザによるログインのための操作に応じて、ユーザ認証を行う。具体的には、認証部２１は、ユーザのＩＣカードからＩＣカードリーダ２が読み取った識別情報を取得する。そして、認証部２１は、記憶部６に記憶されているユーザ情報を参照し、ＩＣカードリーダ２から取得した識別情報のユーザを認証して画像形成装置１へのログインを許可する。なお、認証部２１は、入力部１１に対するユーザ名およびパスワードの入力に応じてログインを許可することもできる。
【００４０】
次いで、ステップＳ２０において、制御部２２は、ログイン中のユーザのプリントジョブが記憶部６に保持されているか否かを判断する。ユーザがＰＣから画像形成装置１へとプリントジョブを送信してから画像形成装置１にログインした場合、当該ユーザのプリントジョブが記憶部６に保持されている。
【００４１】
ログイン中のユーザのプリントジョブが記憶部６に保持されていると判断した場合（ステップＳ２０：ＹＥＳ）、ステップＳ３０において、制御部２２は、プリントジョブを実行するとともに、プリンタモード画面を表示部１２に表示させる。これによりモード画面決定処理が終了する。制御部２２は、プリントジョブから画像データを展開し、この画像データに基づき、画像形成部５により印刷媒体に画像を形成させる。
【００４２】
プリンタモード画面の一例を図４に示す。図４に示すように、プリンタモード画面３０には、実行中のジョブ名、実行中のジョブの進行状況、待機中のジョブ名等が表示される。
【００４３】
一方、ログイン中のユーザのプリントジョブが記憶部６に保持されていないと判断した場合（ステップＳ２０：ＮＯ）、ステップＳ４０において、制御部２２は、モード選択画面を表示部１２に表示させる。
【００４４】
ここで表示されるモード選択画面は、コピーモードまたはスキャナモードをユーザに選択させるため画面である。このモード選択画面の一例を図５に示す。図５に示すように、モード選択画面４０には、コピーモード選択ボタン４１と、スキャナモード選択ボタン４２とが表示される。コピーモード選択ボタン４１は、コピーモードを使用する選択を受け付けるためのボタンである。スキャナモード選択ボタン４２は、スキャナモードを使用する選択を受け付けるためのボタンである。
【００４５】
次いで、ステップＳ５０において、制御部２２は、モード選択画面４０に対するユーザ操作によりモード選択がされたか否かを判断する。具体的には、制御部２２は、コピーモード選択ボタン４１またはスキャナモード選択ボタン４２が押下されたか否かを判断する。
【００４６】
モード選択がされたと判断した場合（ステップＳ５０：ＹＥＳ）、ステップＳ６０において、制御部２２は、コピーモードが選択されたか否かを判断する。
【００４７】
コピーモードが選択されたと判断した場合（ステップＳ６０：ＹＥＳ）、ステップＳ７０において、制御部２２は、コピーモード画面を表示部１２に表示させ、コピーモードを実行可能とする。これによりモード画面決定処理が終了する。ユーザは、コピーモードを選択すると、画像読取部４に原稿をセットし、入力部１１のスタートキー（図示せず）を押下することで、画像形成装置１のコピー動作を開始させる。
【００４８】
コピーモード画面の一例を図６に示す。図６に示すように、コピーモード画面５０には、カラーモード等の各種設定入力を受け付けるためのボタン等が表示される。コピーモード画面５０が表示され、画像読取部４に原稿がセットされた状態で、入力部１１のスタートキーが押下されると、制御部２２は、コピー動作を実行する。具体的には、制御部２２は、画像読取部４に原稿の画像を読み取らせ、画像データを生成させる。そして、制御部２２は、この画像データに基づき、画像形成部５により印刷媒体に画像を形成させる。コピー動作を実行すると、制御部２２は、記憶部６の使用履歴における該当ユーザのコピーモードの累積使用回数Ｎｃ、および直近の所定期間におけるコピーモードの使用回数Ｎｃｐを更新する。
【００４９】
スキャナモードが選択されたと判断した場合（ステップＳ６０：ＮＯ）、ステップＳ８０において、制御部２２は、スキャナモード画面を表示部１２に表示させ、スキャナモードを実行可能とする。これによりモード画面決定処理が終了する。ユーザは、スキャナモードを選択すると、画像読取部４に原稿をセットし、入力部１１のスタートキーを押下することで、画像形成装置１のスキャナ動作を開始させる。
【００５０】
スキャナモード画面の一例を図７に示す。図７に示すように、スキャナモード画面６０には、スキャンにより得られた画像データの保存形式等の各種設定入力を受け付けるためのボタン等が表示される。スキャナモード画面６０が表示され、画像読取部４に原稿がセットされた状態で、入力部１１のスタートキーが押下されると、制御部２２は、スキャナ動作を実行する。具体的には、制御部２２は、画像読取部４に原稿の画像を読み取らせ、指定された保存形式の画像データを生成させる。そして、制御部２２は、この画像データを、指定された保存先へと送信する。スキャナ動作を実行すると、制御部２２は、記憶部６の使用履歴における該当ユーザのスキャナモードの累積使用回数Ｎｓ、および直近の所定期間におけるスキャナモードの使用回数Ｎｓｐを更新する。
【００５１】
一方、ステップＳ５０において、モード選択がされていないと判断した場合（ステップＳ５０：ＮＯ）、ステップＳ９０において、制御部２２は、画像読取部４に原稿がセットされたか否かを判断する。具体的には、制御部２２は、原稿検出部１３から検出信号が入力されたか否かにより、画像読取部４に原稿がセットされたか否かを判断する。画像読取部４に原稿がセットされていないと判断した場合（ステップＳ９０：ＮＯ）、制御部２２は、ステップＳ５０へと戻る。
【００５２】
画像読取部４に原稿がセットされたと判断した場合（ステップＳ９０：ＹＥＳ）、ステップＳ１００において、制御部２２は、ログイン中のユーザにおける合計累積使用回数Ｎｔが、所定の下限値ＴｈＮｔ以下であるか否かを判断する。合計累積使用回数Ｎｔは、ログイン中のユーザにおけるコピーモードの累積使用回数Ｎｃとスキャナモードの累積使用回数Ｎｓとの合計である。制御部２２は、記憶部６に記憶されている使用履歴から、合計累積使用回数Ｎｔを算出する。なお、ユーザごとの合計累積使用回数Ｎｔを記憶部６の使用履歴に含めておいてもよい。また、下限値ＴｈＮｔは、画像形成装置１の管理者等により変更可能としてもよい。
【００５３】
合計累積使用回数Ｎｔが下限値ＴｈＮｔ以下であると判断した場合（ステップＳ１００：ＹＥＳ）、ステップＳ１１０において、制御部２２は、図５のモード選択画面４０の表示を維持する。これにより、制御部２２は、ユーザに動作モードを選択させる。
【００５４】
次いで、ステップＳ１２０において、制御部２２は、モード選択画面４０に対するユーザ操作によりモード選択がされたか否かを判断する。モード選択がされたと判断した場合（ステップＳ１２０：ＹＥＳ）、制御部２２は、ステップＳ６０へと進む。モード選択がされていないと判断した場合（ステップＳ１２０：ＮＯ）、制御部２２は、ステップＳ１２０を繰り返す。
【００５５】
ステップＳ１００において、合計累積使用回数Ｎｔが下限値ＴｈＮｔより大きいと判断した場合（ステップＳ１００：ＮＯ）、図３のステップＳ１３０において、制御部２２は、ログイン中のユーザにおける第１差分値Ｄ１が、所定の第１閾値ＴｈＤ１以上であるか否かを判断する。第１差分値Ｄ１は、ログイン中のユーザにおけるコピーモードの累積使用回数Ｎｃとスキャナモードの累積使用回数Ｎｓとの差の大きさであり、以下の式（１）で表される。なお、ユーザごとの第１差分値Ｄ１を記憶部６の使用履歴に含めておいてもよい。また、第１閾値ＴｈＤ１は、ユーザ等により変更可能としてもよい。
【００５６】
Ｄ１＝|Ｎｃ−Ｎｓ|  …（１）
第１差分値Ｄ１が第１閾値ＴｈＤ１以上であると判断した場合（ステップＳ１３０：ＹＥＳ）、ステップＳ１４０において、制御部２２は、ログイン中のユーザのコピーモードの累積使用回数Ｎｃが、スキャナモードの累積使用回数Ｎｓより大きいか否かを判断する。
【００５７】
コピーモードの累積使用回数Ｎｃがスキャナモードの累積使用回数Ｎｓより大きいと判断した場合（ステップＳ１４０：ＹＥＳ）、制御部２２は、コピーモードを予測モードとして決定し、図２のステップＳ７０へと進む。
【００５８】
コピーモードの累積使用回数Ｎｃがスキャナモードの累積使用回数Ｎｓより小さいと判断した場合（ステップＳ１４０：ＮＯ）、制御部２２は、スキャナモードを予測モードとして決定し、図２のステップＳ８０へと進む。
【００５９】
ステップＳ１３０において、第１差分値Ｄ１が第１閾値ＴｈＤ１未満であると判断した場合（ステップＳ１３０：ＮＯ）、ステップＳ１５０において、制御部２２は、ログイン中のユーザにおける第２差分値Ｄ２が、所定の第２閾値ＴｈＤ２以上であるか否かを判断する。第２差分値Ｄ２は、ログイン中のユーザの直近の所定期間におけるコピーモードの使用回数Ｎｃｐとスキャナモードの使用回数Ｎｓｐとの差の大きさであり、以下の式（２）で表される。なお、ユーザごとの第２差分値Ｄ２を記憶部６の使用履歴に含めておいてもよい。また、第２閾値ＴｈＤ２は、ユーザ等により変更可能としてもよい。
【００６０】
Ｄ２＝|Ｎｃｐ−Ｎｓｐ|  …（２）
第２差分値Ｄ２が第２閾値ＴｈＤ２以上であると判断した場合（ステップＳ１５０：ＹＥＳ）、ステップＳ１６０において、制御部２２は、ログイン中のユーザの所定期間におけるコピーモードの使用回数Ｎｃｐがスキャナモードの使用回数Ｎｓｐより大きいか否かを判断する。
【００６１】
所定期間におけるコピーモードの使用回数Ｎｃｐがスキャナモードの使用回数Ｎｓｐより大きいと判断した場合（ステップＳ１６０：ＹＥＳ）、制御部２２は、コピーモードを予測モードとして決定し、図２のステップＳ７０へと進む。
【００６２】
所定期間におけるコピーモードの使用回数Ｎｃｐがスキャナモードの使用回数Ｎｓｐより小さいと判断した場合（ステップＳ１６０：ＮＯ）、制御部２２は、スキャナモードを予測モードとして決定し、図２のステップＳ８０へと進む。
【００６３】
ステップＳ１５０において、第２差分値Ｄ２が第２閾値ＴｈＤ２未満であると判断した場合（ステップＳ１５０：ＮＯ）、制御部２２は、図２のステップＳ１１０へと進む。
【００６４】
以上説明したように、画像形成装置１では、ログイン後、動作モードが未選択の状態において、画像読取部４に原稿がセットされると、制御部２２が、使用履歴を参照して、コピーモードおよびスキャナモードから予測モードを決定する。そして、制御部２２は、予測モードであるコピーモードまたはスキャナモードに応じたモード画面を表示部１２に表示させ、予測モードを実行可能とする。すなわち、画像形成装置１では、ユーザが、ログイン後、モード選択の操作を行わずに画像読取部４に原稿をセットすると、自動モード選択を行う。
【００６５】
具体的には、制御部２２は、ログイン中のユーザにおける第１差分値Ｄ１が第１閾値ＴｈＤ１以上である場合、コピーモードおよびスキャナモードのうち累積使用回数が多い方を予測モードとして決定する。第１差分値Ｄ１が第１閾値ＴｈＤ１未満である場合は、制御部２２は、直近の所定期間におけるコピーモードおよびスキャナモードの使用回数を用いて、予測モードを決定する。具体的には、制御部２２は、第２差分値Ｄ２が第２閾値ＴｈＤ２以上である場合、コピーモードおよびスキャナモードのうち所定期間における使用回数が多い方を予測モードに決定する。一方、第２差分値Ｄ２が第２閾値ＴｈＤ２未満である場合、制御部２２は、モード選択画面４０によりユーザに動作モードを選択させる。
【００６６】
このように、画像形成装置１では、コピーモード、スキャナモードの両モードの累積使用回数を用いて、予測モードを自動で決定することで、これまでの両モードの使用状況に応じた適切な自動モード選択ができる。また、直近の所定期間の使用回数を用いることで、累積使用回数では両モード間の差が小さい場合でも、直近の使用状況を反映した自動モード選択ができる。これにより、画像形成装置１は、動作モードの選択に関するユーザの手間を低減し、利便性を向上できる。
【００６７】
また、制御部２２は、両モード間で累積使用回数および所定期間の使用回数のいずれにおいても差が小さい場合は、予測モードの決定は行わず、ユーザに動作モードを選択させるようにすることで、ユーザの所望とは異なる動作モードを自動選択することを低減する。これにより、画像形成装置１は、ユーザが動作モードの選択の操作をやり直す手間を低減できる。
【００６８】
また、制御部２２は、ログイン後、動作モードが未選択の状態において、画像読取部４に原稿がセットされても、合計累積使用回数Ｎｔが下限値ＴｈＮｔ以下である場合は、引き続きモード選択画面４０を表示させる。合計累積使用回数Ｎｔがごく小さい場合、有効な自動モード選択が困難であるため、制御部２２は、モード選択画面４０によりユーザに動作モードを選択させる。これにより、画像形成装置１は、不適切な自動モード選択を回避できる。
【００６９】
また、制御部は、認証部２１がユーザのログインを許可した時点において、当該ユーザのプリントジョブが記憶部６に保持されている場合は、プリントジョブを実行するとともに、プリンタモード画面３０を表示部に表示させる。これにより、プリンタモードを有する画像形成装置１において、ログインとともにプリンタモードの動作が開始されるので、動作モードの選択に関するユーザの手間を低減できる。
【００７０】
なお、自動モード選択により予測モードに決定されて表示部１２に表示された動作モードとは異なる動作モードに変更したい場合、ユーザは、入力部１１に設けられたモードキー（図示せず）を押下する。モードキーが押下されると、制御部２２は、モード選択画面４０を表示部１２に表示させる。そして、ユーザは、モード選択画面４０から所望の動作モードを選択する操作を行う。制御部２２は、このようにユーザの指示により実行する動作モードが予測モードから変更された回数を、モード変更回数として記憶部６の使用履歴に含めて記憶させ、モード変更回数に応じて、第１閾値ＴｈＤ１および第２閾値ＴｈＤ２を変更するようにしてもよい。具体的には、制御部２２は、第１閾値ＴｈＤ１および第２閾値ＴｈＤ２が現在の値になってからのモード変更回数が所定回数になると、第１閾値ＴｈＤ１および第２閾値ＴｈＤ２を大きくする。これにより、画像形成装置１は、ユーザの所望とは異なる動作モードを自動選択することを低減できる。
【００７１】
また、図３のステップＳ１５０，Ｓ１６０の処理を省略してもよい。この場合、制御部２２は、ステップＳ１３０において第１差分値Ｄ１が第１閾値ＴｈＤ１以上であると判断した場合（ステップＳ１３０：ＹＥＳ）、図２のステップＳ１１０へと進み、引き続きモード選択画面４０を表示させる。この場合でも、画像形成装置１は、ログイン中のユーザにおけるコピーモードの累積使用回数Ｎｃとスキャナモードの累積使用回数Ｎｓから、これまでの両モードの使用状況に応じた適切な自動モード選択ができる。これにより、画像形成装置１は、動作モードの選択に関するユーザの手間を低減し、利便性を向上できる。
【００７２】
また、本実施の形態では、画像読取部４を用いる動作モードがコピーモードとスキャナモードの２つである場合について説明したが、３つ以上であってもよい。この場合、ログイン中のユーザにおける累積使用回数が最多の動作モードとその次に多い動作モードとの累積使用回数の差の大きさを、第１差分値Ｄ１とする。また、ログイン中のユーザの直近の所定期間における使用回数が最多の動作モードとその次に多い動作モードとの使用回数の差の大きさを、第２差分値Ｄ２とする。そして、制御部２２は、ログイン中のユーザにおける第１差分値Ｄ１が第１閾値ＴｈＤ１以上である場合、累積使用回数が最多の動作モードを予測モードに決定する。第１差分値Ｄ１が第１閾値ＴｈＤ１未満であって、第２差分値Ｄ２が第２閾値ＴｈＤ２以上である場合、制御部２２は、所定期間における使用回数が最多の動作モードを予測モードとして決定する。第１差分値Ｄ１が第１閾値ＴｈＤ１未満であって、第２差分値Ｄ２が第２閾値ＴｈＤ２未満である場合、制御部２２は、モード選択画面によりユーザに動作モードを選択させる。なお、直近の所定期間における使用回数を用いた処理（図３のステップＳ１５０，Ｓ１６０に相当する処理）を省略し、第１差分値Ｄ１が第１閾値ＴｈＤ１未満である場合、モード選択画面によりユーザに動作モードを選択させるようにしてもよい。
【００７３】
本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【００７４】
１  画像形成装置
２  ＩＣカードリーダ
３  操作パネル部
４  画像読取部
５  画像形成部
６  記憶部
７  通信処理部
８  演算処理部
１１  入力部
１２  表示部
１３  原稿検出部
２１  認証部
２２  制御部
３０  プリンタモード画面
４０  モード選択画面
５０  コピーモード画面
６０  スキャナモード画面
【図１】
0005914014.tif 000002
【図２】
0005914014.tif 000003
【図３】
0005914014.tif 000004
【図４】
0005914014.tif 000005
【図５】
0005914014.tif 000006
【図６】
0005914014.tif 000007
【図７】
0005914014.tif 000008